【手続補正書】
【提出日】平成24年11月7日(2012.11.7)
【手続補正１】
【補正対象書類名】特許請求の範囲
【補正対象項目名】全文
【補正方法】変更
【補正の内容】
【特許請求の範囲】
【請求項１】
環状構造内にＮ−複素環カルベンリガンドおよびアルキリデン基を含有させた第８族遷移金属を含む有機金属錯体であって、該錯体は、少なくとも２分間の潜伏期間で、オレフィン複分解反応を触媒できる、有機金属錯体。
【請求項２】
少なくとも５分間の潜伏期間でオレフィン複分解反応を触媒できる、請求項１に記載の有機金属錯体。
【請求項３】
前記オレフィン複分解反応が、閉環複分解である、請求項１に記載の有機金属錯体。
【請求項４】
前記オレフィン複分解反応が、開環複分解重合である、請求項１に記載の有機金属錯体。
【請求項５】
前記オレフィン複分解反応が、閉環複分解である、請求項２に記載の有機金属錯体。
【請求項６】
前記オレフィン複分解反応が、開環複分解重合である、請求項２に記載の有機金属錯体。
【請求項７】
式（Ｉ）の構造：
【化１】
2012082435.tif 000001
を有する錯体およびそれらの異性体であって、
ここで：
αおよびβは、単結合または不飽和結合を表わすが、但し、αおよびβは、両方共に不飽和結合ではあり得ず；
Ｍは、第８族遷移金属であり；
Ｒ１およびＲ２は、別個に、水素、ヒドロカルビル、置換ヒドロカルビル、ヘテロ原子含有ヒドロカルビル、ヘテロ原子含有置換ヒドロカルビル、および官能基から選択され；
Ｑは、有機ジラジカルであり；
Ｘ１およびＸ２は、アニオン性リガンドであり、そして同一または異なり得；
Ｌ１は、中性電子供与リガンドであり、そしてｐは、０または１であり；
αが単結合であるとき、Ｌ２は、ＮＲ７Ｒ８、ＰＲ７Ｒ８、Ｎ＝ＣＲ７Ｒ８、およびＲ７Ｃ＝ＮＲ８から選択され、ここで、Ｒ７およびＲ８は、別個に、置換および／またはヘテロ原子含有Ｃ１〜Ｃ２０アルキル、Ｃ２〜Ｃ２０アルケニル、Ｃ２〜Ｃ２０アルキニル、およびＣ５〜Ｃ２４アリールから選択されるか、またはＲ７およびＲ８は、一緒になって、複素環を形成でき；
αが不飽和結合であるとき、Ｌ２は、ＮＲ７およびＰＲ７から選択され、ここで、Ｒ７は、先に定義したとおりであるか、またはＬ２およびＺは、芳香環内の隣接原子を表わし；
ＹおよびＺは、ヒドロカルビレン、置換ヒドロカルビレン、ヘテロ原子含有ヒドロカルビレン、ヘテロ原子含有置換ヒドロカルビレン、−Ｏ−、−Ｓ−、−ＮＲ９−、および−ＰＲ９−から別個に選択される結合であり、ここで、Ｒ９は、ヒドロカルビル、置換ヒドロカルビル、ヘテロ原子含有ヒドロカルビル、およびヘテロ原子含有置換ヒドロカルビルから選択され、さらに、ここで、ＹおよびＺは、芳香環内の隣接原子を表わし得；
ｍは、０または１であり；そして
ｎは、０または１である、
錯体およびそれらの異性体。
【請求項８】
式（ＩＩ）の構造：
【化２】
2012082435.tif 000002
を有する錯体およびそれらの異性体であって、
ここで：
βは、単結合または不飽和結合を表わし；
Ｍは、第８族遷移金属であり；
Ｒ１およびＲ２は、別個に、水素、ヒドロカルビル、置換ヒドロカルビル、ヘテロ原子含有ヒドロカルビル、ヘテロ原子含有置換ヒドロカルビル、および官能基から選択され；
Ｑは、有機ジラジカルであり；
Ｘ１およびＸ２は、アニオン性リガンドであり、そして同一または異なり得；
Ｌ１は、中性電子供与リガンドであり、そしてｐは、０または１であり；
Ｒ７およびＲ８は、別個に、置換および／またはヘテロ原子含有Ｃ１〜Ｃ２０アルキル、Ｃ２〜Ｃ２０アルケニル、Ｃ２〜Ｃ２０アルキニル、およびＣ５〜Ｃ２４アリールから選択されるか、またはＲ７およびＲ８は、一緒になって、複素環を形成でき；
ＹおよびＺは、ヒドロカルビレン、置換ヒドロカルビレン、ヘテロ原子含有ヒドロカルビレン、ヘテロ原子含有置換ヒドロカルビレン、−Ｏ−、−Ｓ−、−ＮＲ９−、および−ＰＲ９−から別個に選択される結合であり、ここで、Ｒ９は、ヒドロカルビル、置換ヒドロカルビル、ヘテロ原子含有ヒドロカルビル、およびヘテロ原子含有置換ヒドロカルビルから選択され、さらに、ここで、ＹおよびＺは、芳香環内の隣接原子を表わし得る、
錯体およびそれらの異性体。
【請求項９】
Ｒ７およびＲ８が、Ｃ１〜Ｃ１２アルキルまたはＣ５〜Ｃ１２アリールであり、そしてＹが、置換または非置換メチレンまたはエチレン結合である、請求項８に記載の錯体。
【請求項１０】
式（ＩＩＩ）の構造：
【化３】
2012082435.tif 000003
を有する錯体およびそれらの異性体であって、
ここで：
βは、単結合または不飽和結合を表わし；
Ｍは、第８族遷移金属であり；
Ｒ１およびＲ２は、別個に、水素、ヒドロカルビル、置換ヒドロカルビル、ヘテロ原子含有ヒドロカルビル、ヘテロ原子含有置換ヒドロカルビル、および官能基から選択され；
Ｑは、有機ジラジカルであり；
Ｘ１およびＸ２は、アニオン性リガンドであり、そして同一または異なり得；
Ｌ１は、中性電子供与リガンドであり、そしてｐは、０または１であり；
Ｒ７およびＲ８は、別個に、置換および／またはヘテロ原子含有Ｃ１〜Ｃ２０アルキル、Ｃ２〜Ｃ２０アルケニル、Ｃ２〜Ｃ２０アルキニル、およびＣ５〜Ｃ２４アリールから選択されるか、またはＲ７およびＲ８は、一緒になって、複素環を形成でき；
ＹおよびＺは、ヒドロカルビレン、置換ヒドロカルビレン、ヘテロ原子含有ヒドロカルビレン、ヘテロ原子含有置換ヒドロカルビレン、−Ｏ−、−Ｓ−、−ＮＲ９−、および−ＰＲ９−から別個に選択される結合であり、ここで、Ｒ９は、ヒドロカルビル、置換ヒドロカルビル、ヘテロ原子含有ヒドロカルビル、およびヘテロ原子含有置換ヒドロカルビルから選択され、さらに、ここで、ＹおよびＺは、芳香環内の隣接原子を表わし得る、
錯体およびそれらの異性体。
【請求項１１】
Ｒ７およびＲ８が、Ｃ１〜Ｃ１２アルキルまたはＣ５〜Ｃ１２アリールであり、そしてＹが、置換または非置換メチレンまたはエチレン結合である、請求項１０に記載の錯体。
【請求項１２】
Ｒ７およびＲ８が、フェニルであり、そしてＹが、エチレンである、請求項１１に記載の錯体。
【請求項１３】
式（ＩＶ）の構造：
【化４】
2012082435.tif 000004
を有する錯体およびそれらの異性体であって、
ここで：
Ｍは、第８族遷移金属であり；
Ｒ１およびＲ２は、別個に、水素、ヒドロカルビル、置換ヒドロカルビル、ヘテロ原子含有ヒドロカルビル、ヘテロ原子含有置換ヒドロカルビル、および官能基から選択され；
Ｑは、有機ジラジカルであり；
Ｘ１およびＸ２は、アニオン性リガンドであり、そして同一または異なり得；
Ｌ１は、中性電子供与リガンドであり、そしてｐは、０または１であり；
Ｙは、ヒドロカルビレン、置換ヒドロカルビレン、ヘテロ原子含有ヒドロカルビレン、ヘテロ原子含有置換ヒドロカルビレン、−Ｏ−、−Ｓ−、−ＮＲ９−、および−ＰＲ９−から選択される結合であり、ここで、Ｒ９は、ヒドロカルビル、置換ヒドロカルビル、ヘテロ原子含有ヒドロカルビル、およびヘテロ原子含有置換ヒドロカルビルから選択される、
錯体およびそれらの異性体。
【請求項１４】
式（Ｖ）の構造：
【化５】
2012082435.tif 000005
を有する錯体およびそれらの異性体であって、
ここで：
Ｍは、第８族遷移金属であり；
Ｒ１およびＲ２は、別個に、水素、ヒドロカルビル、置換ヒドロカルビル、ヘテロ原子含有ヒドロカルビル、ヘテロ原子含有置換ヒドロカルビル、および官能基から選択され；
Ｑは、有機ジラジカルであり；
Ｘ１およびＸ２は、アニオン性リガンドであり、そして同一または異なり得；
Ｌ１は、中性電子供与リガンドであり、そしてｐは、０または１であり；
Ｒ７は、置換および／またはヘテロ原子含有Ｃ１〜Ｃ２０アルキル、Ｃ２〜Ｃ２０アルケニル、Ｃ２〜Ｃ２０アルキニル、およびＣ５〜Ｃ２４アリールから選択され；
ＹおよびＺは、ヒドロカルビレン、置換ヒドロカルビレン、ヘテロ原子含有ヒドロカルビレン、ヘテロ原子含有置換ヒドロカルビレン、−Ｏ−、−Ｓ−、−ＮＲ９−、および−ＰＲ９−から別個に選択される結合であり、ここで、Ｒ９は、ヒドロカルビル、置換ヒドロカルビル、ヘテロ原子含有ヒドロカルビル、およびヘテロ原子含有置換ヒドロカルビルから選択される、
錯体およびそれらの異性体。
【請求項１５】
オレフィン複分解反応を触媒する方法であって、オレフィン複分解を可能にするように選択された反応条件下で、オレフィン性反応物を、請求項１、７、８、９、１０、１１、１２、１３または１４のいずれか１項に記載の前記触媒錯体と接触させる工程を包含する、方法。